【手続補正書】
【提出日】平成18年4月20日(2006.4.20)
【手続補正１】
【補正対象書類名】明細書
【補正対象項目名】発明の名称
【補正方法】変更
【補正の内容】
【発明の名称】通信装置及び通信装置の接続方法
【手続補正２】
【補正対象書類名】明細書
【補正対象項目名】特許請求の範囲
【補正方法】変更
【補正の内容】
【特許請求の範囲】
【請求項１】  通信装置の接続方法であって、
他の通信装置を検索する検索工程と、
前記検索工程において検索された他の通信装置のリストを生成して表示部に表示させる表示工程と、
前記表示部に表示させたリストから選択された他の通信装置が、接続拒否対象の装置であるか、もしくは、過去に接続を行ったことがない装置であるかを判定する判定工程と、
前記判定工程における判定に応じて、前記選択された他の通信装置への接続を、ユーザに確認するための処理を実行する確認工程と、
前記確認工程における確認結果に応じて、前記選択された他の通信装置との接続処理を実行する接続工程と、
を有することを特徴とする接続方法。
【請求項２】  通信装置であって、
他の通信装置を検索する検索手段と、
前記検索手段により検索された他の通信装置のリストを生成して表示する表示手段と、
前記表示手段により表示したリストから選択された他の通信装置が、接続拒否対象の装置であるか、もしくは、過去に接続を行ったことがない装置であるかを判定する判定手段と、
前記判定手段による判定に応じて、前記選択された他の通信装置への接続を、ユーザに確認するための処理を実行する確認手段と、
前記確認手段による確認結果に応じて、前記選択された他の通信装置との接続処理を実行する接続手段と、
を有することを特徴とする通信装置。
【請求項３】  前記確認手段は、前記選択された他の通信装置が、接続拒否対象の装置である場合、もしくは、過去に接続を行ったことがない装置である場合に、前記選択された他の通信装置への接続を行うか否かをユーザに確認するため情報を表示部に表示することを特徴とする請求項２に記載の通信装置。
【請求項４】  接続拒否対象の装置、もしくは、過去に接続を行ったことがある装置を特定する情報に基づいて、前記表示手段は、前記検索手段により検索された他の装置のリストを生成し、表示部に表示することを特徴とする請求項２に記載の通信装置。
【請求項５】  前記表示手段は、接続拒否対象の装置、もしくは、過去に接続を行ったことがある装置、もしくは、過去に接続を行ったことない装置の少なくとも２つを区別したリストを生成することを特徴とする請求項４に記載の通信装置。
【請求項６】  前記確認手段による確認結果に応じて、前記選択された他の通信装置を過去に接続したことがある装置として管理する管理手段を有することを特徴とする請求項２に記載の通信装置。
【請求項７】  前記確認手段による確認結果に応じて、前記選択された他の通信装置を過去に接続したことがない装置として管理する管理手段を有することを特徴とする請求項２に記載の通信装置。
【請求項８】  通信装置の接続方法であって、
他の通信装置を検索する検索工程と、
前記検索工程において検索された他の通信装置が接続拒否対象の装置であるか、もしくは、過去に接続を行ったことがない装置であるかに基づくリストを生成して表示部に表示させる表示工程と、
前記表示部に表示させたリストから選択された他の通信装置が、接続拒否対象の装置であるか、もしくは、過去に接続を行ったことがない装置であるかを判定する判定工程と、
前記判定工程における判定に応じて、前記選択された他の通信装置への接続を、ユーザに確認するための処理を実行する確認工程と、
前記確認工程における確認結果に応じて、前記選択された他の通信装置との接続処理を実行する接続工程と、
を有することを特徴とする接続方法。
【請求項９】  通信装置であって、
他の通信装置を検索する検索手段と、
前記検索手段により検索された他の通信装置が接続拒否対象の装置であるか、もしくは、過去に接続を行ったことがない装置であるかに基づくリストを生成して表示する表示手段と、
前記表示手段により表示したリストから選択された他の通信装置が、接続拒否対象の装置であるか、もしくは、過去に接続を行ったことがない装置であるかを判定する判定手段と、
前記判定手段による判定に応じて、前記選択された他の通信装置への接続を、ユーザに確認するための処理を実行する確認手段と、
前記確認手段による確認結果に応じて、前記選択された他の通信装置との接続処理を実行する接続手段と、
を有することを特徴とする通信装置。
【請求項１０】  前記表示手段は、前記検索手段により検索された他の通信装置のうち、接続拒否対象の装置を削除したリストを生成することを特徴とする請求項９に記載の通信装置。
【請求項１１】  前記表示手段は、接続拒否対象の装置、もしくは、過去に接続を行ったことがない装置と、過去に接続を行ったことがある装置とを区別したリストを生成することを特徴とする請求項９に記載の通信装置。
【請求項１２】  請求項１に記載の通信装置の接続方法をコンピュータに実行させるためのプログラム。
【請求項１３】  請求項１２に記載のプログラムを記録したコンピュータ読み取り可能な記録媒体。
【請求項１４】  請求項８に記載の通信装置の接続方法をコンピュータに実行させるためのプログラム。
【請求項１５】  請求項１４に記載のプログラムを記録したコンピュータ読み取り可能な記録媒体。
【手続補正３】
【補正対象書類名】明細書
【補正対象項目名】０００１
【補正方法】変更
【補正の内容】
【０００１】
【発明の属する技術分野】
本発明は、通信装置が他の通信装置に接続する際の接続技術に関する。
【手続補正４】
【補正対象書類名】明細書
【補正対象項目名】０００６
【補正方法】変更
【補正の内容】
【０００６】
本発明は、通信装置が希望しない他の通信装置に接続することを予防することを目的とする。
【手続補正５】
【補正対象書類名】明細書
【補正対象項目名】０００７
【補正方法】変更
【補正の内容】
【０００７】
【課題を解決するための手段】
上記目的を達成するために、本発明は、他の通信装置を検索し、検索された他の通信装置のリストを生成して表示部に表示したリストから選択された他の通信装置が、接続拒否対象の装置であるか、もしくは、過去に接続を行ったことがない装置であるかを判定し、該判定に応じて、選択された他の通信装置への接続を、ユーザに確認し、この確認結果に応じて、選択された他の通信装置との接続処理を実行することを特徴とする。
【手続補正６】
【補正対象書類名】明細書
【補正対象項目名】０００８
【補正方法】変更
【補正の内容】
【０００８】
また、他の通信装置を検索し、検索された他の通信装置が接続拒否対象の装置であるか、もしくは、過去に接続を行ったことがない装置であるかに基づくリストを生成して表示し、該リストから選択された他の通信装置が、接続拒否対象の装置であるか、もしくは、過去に接続を行ったことがない装置であるかを判定し、該判定に応じて、選択された他の通信装置への接続を、ユーザに確認し、この確認結果に応じて、前記選択された他の通信装置との接続処理を実行することを特徴とする。
【手続補正７】
【補正対象書類名】明細書
【補正対象項目名】００６２
【補正方法】変更
【補正の内容】
【００６２】
【発明の効果】
以上のように本発明によれば、通信装置が希望しない他の通信装置に接続することを予防することができる。